(57)【要約】  パッケージ（１００）は、本体（１１０）、パッケージ内の少なくとも１つの使い捨て吸収性物品、および第１の知覚要素（２６０）を備える。本体は開口部を有し、第１の知覚要素はパッケージの第１の性能属性を伝える。
2009537274.tif 000002
【特許請求の範囲】
【請求項１】
複数の使い捨て吸収性物品を収容するパッケージであって、
開口部を有する本体と、
前記パッケージ上に設けられた第１の知覚要素と、を備え、
前記第１の知覚要素が前記パッケージの第１の性能属性を伝える、パッケージ。
【請求項２】
前記第１の知覚要素は図形を含む、請求項１に記載のパッケージ。
【請求項３】
カバーを更に備え、
前記カバーは取付け領域および持上げ可能領域を含み、
閉鎖位置において前記開口部が前記カバーによって覆われるように前記取付け領域が前記本体に接合され、
前記第１の知覚要素は閉鎖位置において前記カバーの下方に設けられ、
前記カバーは透明である、請求項１に記載のパッケージ。
【請求項４】
把持知覚要素を更に備える、請求項１に記載のパッケージ。
【請求項５】
前記把持知覚要素は図形を含む、請求項４に記載のパッケージ。
【請求項６】
前記把持知覚要素は、視覚的認知および触覚的認知によって消費者に把持区域を知らせる、請求項４に記載のパッケージ。
【請求項７】
カバー知覚要素を更に備える、請求項３に記載のパッケージ。
【請求項８】
把持知覚要素を更に備える、請求項３に記載のパッケージ。
【請求項９】
前記第１の知覚要素は前記パッケージの特性および性能属性を伝える、請求項１に記載のパッケージ。
【請求項１０】
前記パッケージの特性を伝える第２の知覚要素を更に備える、請求項１に記載のパッケージ。
【請求項１１】
前記第２の知覚要素は前記パッケージの第２の性能特性を伝える、請求項１０に記載のパッケージ。
【請求項１２】
複数の拭き取り用品を収容する可撓性パッケージであって、
本体と、
前記本体に接合された取付け領域と、持上げ可能領域と、を有する再閉鎖可能なカバーと、
前記カバーの前記持上げ可能領域の一部上に設けられ、前記カバーの前記持上げ可能領域の把持区域を伝える把持知覚要素と、
前記カバー上に設けられ、前記可撓性パッケージの第１の性能属性を伝える第１の知覚要素と、
前記可撓性パッケージの前記第１の性能属性を伝えるカバー知覚要素と、を備える、可撓性パッケージ。
【請求項１３】
前記把持知覚要素は図形を含む、請求項１２に記載の可撓性パッケージ。
【請求項１４】
前記第１の知覚要素は図形を含む、請求項１２に記載の可撓性パッケージ。
【請求項１５】
前記第１の知覚要素は、前記可撓性パッケージの機能的特徴を更に伝える、請求項１２に記載の可撓性パッケージ。
【請求項１６】
第２の性能属性を伝える第２の知覚要素を更に備える、請求項１２に記載の可撓性パッケージ。
【請求項１７】
前記第１の性能属性を伝える第２の知覚要素を更に備え、
前記第１の知覚要素と前記第２の知覚要素とは異なる、請求項１２に記載の可撓性パッケージ。
【請求項１８】
複数の拭き取り用品をそれぞれその中に収容する可撓性パッケージのラインナップであって、
（ａ）複数の拭き取り用品を収容する第１の可撓性パッケージであって、
（ｉ）第１の本体と、
（ｉｉ）前記第１の本体に接合された第１の取付け領域と、第１の持上げ可能領域と、を有する第１のカバーと、
（ｉｉｉ）前記第１の可撓性パッケージの第１の特性を伝える第１の知覚要素と、を有する第１の可撓性パッケージと、
（ｂ）複数の拭き取り用品を収容する第２の可撓性パッケージであって、
（ｉ）第２の本体と、
（ｉｉ）前記第２の本体に接合された第２の取付け領域と、第２の持上げ可能領域と、を有する第２のカバーと、
（ｉｉｉ）前記第２の可撓性パッケージの前記第１の特性を伝える第２の知覚要素と、を有する第２の可撓性パッケージと、を備え、
前記第１の知覚要素は前記第２の知覚要素とは異なる、可撓性パッケージのラインナップ。
【請求項１９】
前記第１の可撓性パッケージは第１のカバー知覚要素を更に有し、
前記第２の可撓性パッケージは第２のカバー知覚要素を有し、
前記第１のカバー知覚要素は前記第２のカバー知覚要素とは異なる、請求項１８に記載のラインナップ。
【請求項２０】
前記第１の可撓性パッケージは第１のカバー知覚要素を更に有し、
前記第２の可撓性パッケージは前記第１のカバー知覚要素を有する、請求項１８に記載のラインナップ。
【発明の詳細な説明】
【技術分野】
【０００１】
本開示は、一般に、使い捨て吸収性物品を収容するパッケージに関する。より具体的には、本発明は、使い捨て吸収性物品を収容するパッケージに関し、このパッケージは、パッケージの特性を消費者に伝える知覚要素を組み込む。
【背景技術】
【０００２】
使い捨て吸収性物品の分野は、おむつ、よだれ掛け、拭き取り用品、生理用ナプキン、タンポンなどを含む、多種多様な消費者製品を含む。それぞれの部類で、すなわち、おむつ、拭き取り用品などの部類で、異なる商品の数は一般的に多い。例えば、おむつの部類では、商品は、プルオンおむつ、テープ式おむつ、トレーニングパンツ、新生児用おむつなどを含むことがある。
【０００３】
これらの使い捨て吸収性物品それぞれのパッケージングは、一般的に、使い捨て吸収性物品のブランド名に加えて、消費者は特定のブランドを容易に認識できるようにする、何らかの図像又は意匠を含む。それに加えて、それらの使い捨て吸収性物品のパッケージングは、パッケージ内の吸収性物品の数に関する説明、並びに使い捨て吸収性物品の使用法に関する説明を含むことがある。いくつかの例では、特に、使い捨て吸収性物品の使用法では、消費者に伝えることは、英数字を使用せずに視覚的画像によることがある。
【０００４】
英数字を含まない視覚的画像は、消費者に伝える有効な手段であり得る。例えば、おむつおよび／又はウェットタオルの場合、消費者は乳児又は小児と一緒に買物をする場合が多く、結果として、使い捨て吸収性物品の様々な商品に一心に集中することがしにくくなる。それに加えて、それぞれの部類の中での商品の数が多い場合があるため、消費者が、自身の必要性を最も適切に満たす製品又は製品群を自分で選択することがますます困難になることがある。
【０００５】
残念なことに、場合によっては、消費者は、単にパッケージに基づいて不適切な製品を選択することがある。例えば、消費者は、自身の必要性に適したウェットタオルを収容している製品を選択することがある。しかし、消費者は、開封後にウェットタオルの水分を保持することができないパッケージを不用意に選択することがある。ある使用期間後、以前は濡れていた拭き取り用品は乾燥してしまうことになる。このことは、乾燥してしまった拭き取り用品を使用する際の不快感および／又は負傷を引き起こす可能性がある。反対に、消費者は、自身の必要性に適さない製品を選択してしまったことに気付いた後、購入場所に戻り、不適切な製品を返品するとともに、その代わりに適切な製品を購入しようとしなければならないことがある。
【発明の開示】
【発明が解決しようとする課題】
【０００６】
従って、パッケージの特性を伝える知覚要素を組み込んだパッケージを提供することが有利である。これらの知覚要素は、消費者が、使い捨て吸収性物品を収容しているパッケージを購入する際によりよい決断をする助けとなることがある。
【課題を解決するための手段】
【０００７】
本発明のパッケージは、パッケージの特性を消費者に伝え、それによって、消費者が自身の特定の必要性に適した製品を選択できるようにする、知覚要素を含んでもよい。本発明のいくつかの実施形態では、少なくとも１つの使い捨て吸収性物品を収容しているパッケージは、本体および第１の知覚要素を有してもよい。本体は開口部を有し、第１の知覚要素はパッケージの第１の性能属性を伝える。
【０００８】
他の実施形態では、可撓性パッケージは、複数の拭き取り用品、本体、カバー、把持知覚要素、第１の知覚要素、およびカバー知覚要素を有してもよい。カバーは、取付け領域および持上げ可能領域を有してもよい。カバーの取付け領域は本体に接合することができる。把持知覚要素は、カバーの持上げ可能領域の一部の上に設けることができ、把持知覚要素は、カバーの持上げ可能領域の把持区域を伝えることができる。第１の知覚要素はカバー上に設けることができ、第１の知覚要素は、可撓性パッケージの第１の特性を伝える。カバー知覚要素は、可撓性パッケージの第１の性能属性を伝える。
【０００９】
本発明の他の実施形態は、パッケージのラインナップ又は一群を含む。パッケージのラインナップは、複数の拭き取り用品を備えるラインナップ中のパッケージそれぞれと同様に、第１のパッケージおよび第２のパッケージを更に含んでもよい。
【００１０】
第１のパッケージは、第１の本体、第１のカバー、および第１の知覚要素を有してもよい。第１のカバーは、第１の取付け領域および第１の持上げ可能領域を備える。第１のカバーの第１の取付け領域は、第１の本体に接合することができる。第１の知覚要素は、第１のパッケージの第１の特性を消費者に伝えることができる。
【００１１】
第２のパッケージは、第２の本体、第２のカバー、および第２の知覚要素を有してもよい。第２のカバーは、第２の取付け領域および第２の持上げ可能領域を備える。第２の取付け領域は第２の本体に接合することができる。第２の知覚要素は、第２のパッケージの第１の特性を伝えることができる。第１の知覚要素と第２の知覚要素とは異なることがありうる。
【発明を実施するための最良の形態】
【００１２】
定義：
本発明は、いくつかの実施形態では、使い捨て吸収性物品を備えるパッケージ、又は使い捨て吸収性物品を収容しているパッケージの一群若しくはラインナップを目的とする。本明細書で使用する時、「ラインナップ」および「一群」という用語は、互いに交換可能であることを意味する。「一群」又は「ラインナップ」とは、それぞれ個々に販売されるが、より広義の集合的商品のそれぞれの部分である２つ以上の「製品」を指す。ラインナップ又は一群内の個々の商品は、いくつかの共通点又は関連性によって相互に関連し合っている。このような共通点又は関連性の例としては、共通のブランド名、共通のロゴ、共通の配色、共通の図形、あるいは、ラインナップ又は一群が全体として属しているグループ全体の中のサブグループと製品が関連があり、またこのサブグループに属する商品であることを示すその他いずれかのしるしが挙げられるが、これらに限定されない。
【００１３】
本明細書で使用する時、用語「特性」は、製品を区別する助けとなる機能的特徴および／又は性能属性を指すものとする。例えば、パッケージの特性として、再閉鎖可能な蓋／カバー、水分を保持する能力、パッケージの内容物からの水分の損失を遅らせること、パッケージの開放の促進、且つ／又はその他のものを挙げることができる。
【００１４】
本明細書で使用する時、用語「性能属性」は、パッケージによってもたらされる、パッケージ内の内容物が期待される使用法に従って使用された時の内容物および／又はエンドユーザに対する利益を指す。例えば、ウェットタオルの場合、パッケージが期待される使用法に従って使用されるのであれば、パッケージは、パッケージ内のウェットタオルの水分を保持するか、パッケージ内のウェットタオルからの水分の損失を遅らせてもよい。
【００１５】
用語「機能的特徴」は、期待される使用法に従って使用された時のパッケージの能力を指す。例えば、パッケージは、再閉鎖可能なカバーを有してもよく、容器内に浮いてもよく（float in the tub）、暗いところで光ってもよく（glow in the dark）、ユーザ動作に応答しての可聴音フィードバックを提供してもよく、および／又は同等のことがあってもよい。
【００１６】
本明細書で使用する時、用語「異なる」および「異なっている」は、知覚要素の場合、２つの要素間における外観、色、形状、意匠、感触、および／又は音の認知可能な相違点を含むものとする。特性の場合、用語「異なる」および「異なっている」は、機能的相違点および性能属性の相違点を含むものとする。例えば、第１の特性は、パッケージがパッケージ内の拭き取り用品からの水分の損失を遅らせる能力に関連してもよく、第２の特性は、パッケージの再閉鎖可能なカバーに関連してもよい。この例では、第１の特性は第２の特性とは異なる。
【００１７】
用語「使い捨て」は、本明細書では、製品が、それらの本来の機能のため、洗濯されるか、そうでなければ復元され再利用されることを一般に意図しないことを説明するために使用される。それらは、一般的に、約１回又は２回の使用の後に廃棄されることを意図する。そのような使い捨て物品は、リサイクルされるか、堆肥化されるか、そうでなければ環境に適合した方式で処分されることが好ましい。
【００１８】
「使い捨て吸収性物品」は、通常、流体を吸収および／又は保持する物品デバイスを指す。場合によっては、この語句は、身体から排出された排泄物および／又は滲出物を吸収し封じ込めるため、着用者の身体に当てて又は身体の近傍に置かれる物品を指し、これには、乳児用おむつ、乳児用トレーニングパンツ、成人用失禁用品、女性用衛生用品、乳児水泳用おむつ、創傷用包帯などのパーソナルケア物品を含む。場合によっては、使い捨て吸収性物品は、幼児および他の失禁症者によって胴体下部の周りに着用されてもよい。他の例では、使い捨て吸収性物品は、拭き取り用品、よだれ掛け、生理用ナプキン、タンポン、ティッシュ、ペーパータオルなどを含んでもよい。
【００１９】
本明細書で使用する時、用語「接合された」は、ある要素を他の要素に直接固着することによって、その要素は別の要素に直接固定された構成、並びに、ある要素を中間部材（１つ又は複数）に固着し、それが次に他の要素に固着されることによって、その要素は別の要素に間接的に固定された構成を包含する。要素は別の要素に恒久的に固定される、又は別の要素に取外し可能に固定される追加の構成が含まれる。
【００２０】
本明細書で使用する時、用語「製品」は、使い捨て吸収性物品を収容しているパッケージを指すものとする。
【００２１】
本明細書で使用する時、用語「ウェットタオル」は、基材の約１０重量％を超える湿分含量を有する拭き取り用品を意味する。拭き取り用品によっては、測定可能な湿分含量を有するが、見掛け上「乾燥した」状態で供給されるものがある。例えば、あるクレンジング用拭き取り用品（入浴、洗顔、又はメーク落とし用など）には、拭き取り用品の基材に含浸させた、ないしは別の方法で組み込んだクレンジング溶液が低い湿分含量（典型的には約１０％未満）で含まれている。この溶液は、拭き取り用品を水に浸すと、拭き取り用品から放出されてもよい。ウェットタオルの湿分含量は、多くの場合、パッケージ時の方がより高くなっている（例えば、約５０重量％〜約３５０重量％以上）。本出願の目的のため、基材に付与された湿分含量を総称して「ローション」と呼ぶ。このようなローションは、溶液、エマルション、又は他のあらゆるタイプの組成物であり、一般的にはある種の水性クレンジング製剤である。このような種々のローションは、当該技術分野において既知であり、好適である。
【００２２】
説明：
本発明のパッケージは、パッケージの１つ以上の特性を消費者に伝える知覚要素を組み込む。パッケージの１つ以上の特性を消費者に伝えることは、消費者が、自身にとって不利益ではなく有益な製品を選択する助けとなってもよい。
【００２３】
いくつかの実施形態では、本発明のパッケージは、可撓性パッケージおよび硬質プラスチック製コンテナ、例えばプラスチック容器を含む。それぞれの例を以下に提供する。本発明は、内容物を備えるパッケージに適用可能である。例えば、いくつかの実施形態では、本発明は、複数の使い捨て吸収性物品を備えるパッケージに関連する。ただし、以下に提供する説明は、複数の使い捨てウェットタオルを備えるパッケージに関連する。
【００２４】
本発明に従って作成されるパッケージは、パッケージの内容物を実質的に封入する本体を含んでもよい。本体は開口部を含んでもよい。開口部は、いずれかの好適な手段、例えばカバーによって開閉されてもよい。例えば、図１Ａに示されるように、いくつかの実施形態では、本発明によるパッケージは可撓性パッケージ１００を含んでもよい。可撓性パッケージ１００は、本体１１０およびカバー１１２を含んでもよい。図示されるように、いくつかの実施形態では、カバー１１２は、本体１１０の上面１３０上に設けることができる。しかし、カバー１１２は、本体１１０のいずれかの好適な表面（１つ又は複数）上に設けることができる。一般に、カバー１１２は、カバー１１２が閉鎖位置（閉鎖状態）にある時、開口部１０１５（図１Ｂに図示）がカバー１１２によって少なくとも部分的に覆われるようにして、本体１１０上に設けられる。
【００２５】
図示されるように、いくつかの実施形態では、本体１１０は、複数の使い捨て拭き取り用品（図示なし）に巻き付けられるパッケージ用フィルムのシートから形成することができる。パッケージ用フィルムの隣接した端部を互いに封止して、使い捨て拭き取り用品を完全に封入することができる。それ故に、後方シール部（図示なし）は本体１１０の長さＬに沿って延びてもよく、２つのサイドシーム１２６は本体１１０の横幅Ｗにわたって延びてもよい。
【００２６】
カバー１１２は、取付け領域１２０および持上げ可能領域１２２を含んでもよい。いくつかの実施形態では、取付け領域１２０は本体１１０に接合することができる。それに加えて、閉鎖位置（閉鎖状態）では、持上げ可能領域１２２は本体１１０に接合される。本体１１０内の拭き取り用品を露出させるため、カバー１１２の持上げ可能領域１２２を持上げることができる。一般に、カバー１１２は、カバー１１２の取付け領域１２０が本体１１０から外れる程度までは持上げられない。
【００２７】
いくつかの実施形態では、図１Ｂに示されるように、カバー１１２が持上げられると、本体１１０の一部分１７０をカバー１１２とともに持上げ、それによって本体１１０内の拭き取り用品を露出させるように、本体１１０の一部分１７０をカバー１１２に接合することができる。いくつかの実施形態では、本体１１０は、カバー１１２によって覆われた既に存在する開口部を含んでもよい。従って、カバー１１２を持上げると、パッケージ本体１１０内の拭き取り用品が露出する。後者の実施形態では、カバー１１２を持上げても、本体１１０はカバー１１２とともに持ち上げられる部分はない。
【００２８】
図１Ａに戻ると、上述したように、カバー１１２が閉鎖位置（閉鎖状態）の時、取付け領域１２０と持上げ可能領域１２２は両方とも本体１１０に接合することができる。取付け領域１２０および持上げ可能領域１２２を本体１１０に接合する一方で、依然として、持上げ可能領域１２２を外し、それに続いて本体１１０に再固定できるようにする様々な手段がある。例えば、いくつかの実施形態では、持上げ可能領域１２２は第１の接着剤を含んでもよく、取付け領域１２０は第２の接着剤を含んでもよい。第１の接着剤は、カバー１１２の持上げ可能領域１２２を外し、それに続いて本体１１０に再固定できるように選択することができ、第２の接着剤は、取付け領域１２０が本体１１０に恒久的に固定されるように選択することができる。別の実施例では、持上げ可能領域１２２は取付け領域１２０と同じ接着剤を含んでもよい。しかし、持上げ可能領域１２２は、取付け領域１２０より少ない塗布された接着剤の坪量を含んでもよい。更に別の実施例では、持上げ可能領域１２２は接着剤を含まず、取付け領域１２０が接着剤を含んでもよい。更に別の実施例では、持上げ可能領域１２２および取付け領域１２０はそれぞれ接着剤を含んでもよい。しかし、持上げ可能領域１２２は接着弱化剤（adhesive deadening agent）を更に含んでもよい。それに加えて、接着剤がパッケージ本体１１０上に設けられ、カバー１１２に付着する実施形態が想起される。当該技術分野において既知のあらゆる好適な弱化剤（deadening agent）を使用することができる。同様に、当該技術分野において既知のあらゆる好適な接着剤を使用することができる。好適な接着剤の例としては、アクリルベース又はゴムベースの接着剤が挙げられる。接着剤に基づくシステムを利用した再閉鎖可能なカバーおよびパッケージ本体は、米国特許第６，３０９，１０５号に記載されている。
【００２９】
本体１１０および／又はカバー１１２が他の締結要素システムを備える実施形態が想起される。例えば、本体１１０および／又はカバー１１２が、接着剤、機械的締結要素、磁気部材、若しくはそれらの組み合わせを含む実施形態が想起される。これらの実施形態は、２００５年６月２１日出願の米国特許出願第１１／１５７，６６３号、名称「分離可能な締結要素を備えた再閉鎖可能なパッケージ（RESEALABLE PACKAGE WITH SEPARABLE FASTENING ELEMENT）」に記載されている。
【００３０】
図１Ａに示されるように、いくつかの実施形態では、カバー１１２は、カバー１１２の持上げ可能領域１２２に設けられた把持知覚要素１６０を含んでもよい。把持知覚要素１６０は、カバー１１２の持上げ可能領域１２２の把持区域１６２を伝えることができる。把持区域１６２は、消費者が把持し、それによって消費者がカバー１１２を持上げることができる、持上げ可能領域１２２の一部である。そのように、把持知覚要素は、カバー１１２を持上げるためにカバー１１２のどこを把持するかを消費者に伝えることができる。それに加えて、把持知覚要素１６０は、可撓性パッケージ１００がカバー１１２の開閉を容易にする特徴を備えることを消費者に伝えてもよい。
【００３１】
把持知覚要素１６０が視覚的認知によって伝える実施形態が想起される。例えば、把持知覚要素１６０は図形を含んでもよい。例えば、図形は、把持区域１６２および／又は消費者がカバー１１２を持上げるべき方向を指す擬人化画像を包含してもよい。図形はいずれかの好適な視覚画像（１つ又は複数）であってもよい。例えば、図形は、写真、描画、エンボス加工、若しくは、絵文字および／又は画像を作成するのに利用される他のいずれかの好適な素材などであるがそれらに限定されない、絵文字および／又は画像を含んでもよい。絵文字および／又は画像は、子供の画像、動物若しくは物体の擬人化画像、有名な漫画のキャラクターを備える漫画の画像、有名ブランドのロゴ等の画像、および／又は、コマースの実施（implement of commerce）に関連させて特に作成されたイメージキャラクター、矢印、印、又は動きや動作等などであるがそれらに限定されないシンボル、並びにそれらの組み合わせを含んでもよい。図形の好適な例は、米国特許公開公報第２００５／０１２９７４３Ａ１号、米国特許公開公報第２００５／０１２５９２３Ａ１号、および米国特許公開公報第２００５／０１２５８７７Ａ１号にて考察されている。本明細書で使用する時、用語「図形」は、特に指定しない限り英数字は包含しない。
【００３２】
いくつかの実施形態では、図形と併せて、又は図形と独立に、把持知覚要素１６０は、取付け領域１２０の色とは認知可能に異なる色、持上げ可能領域１２２の一部とは認知可能に異なる色、又は取付け領域１２０および持上げ可能領域１２２の一部とは認知可能に異なる色を含んでもよい。例えば、特定の一実施形態では、取付け領域１２０および持上げ可能領域１２２の一部は、本体１１０の色とは認知可能に異なっていない色を含んでもよい。この特定の実施形態では、把持知覚要素１６０は、取付け領域１２０および本体１１０の色とは認知可能に異なる色を含んでもよい。
【００３３】
いくつかの実施形態では、把持知覚要素１６０は、視覚的認知によって把持区域１６２の場所を伝えることに限定されてもよい。しかし、視覚的認知および／又は触覚的認知によって、把持知覚要素１６０が消費者と伝える実施形態が想起される。例えば、把持知覚要素１６０は、把持知覚要素１６０とカバー１１２の他の部分との間の認知可能な視覚的差異に加えて、把持知覚要素１６０とカバー１１２の他の部分との間に認知可能な触覚的差異も存在してもよいように、カバー１１２上にエンボス加工することができる。別の実施例として、把持知覚要素１６０は触覚的認知によって消費者に伝えてもよい。
【００３４】
把持知覚要素１６０が視覚的および／又は触覚的認知によって伝えてもよい多くの手段がある。例えば、上述したように、把持知覚要素１６０はカバー１１２上にエンボス加工されてもよい。別の実施例として、認知可能な触覚的差異および／又は認知可能な視覚的差異が作られるように、材料は把持知覚要素１６０に追加されてもよい。当該技術分野において既知のいずれかの好適な手段を利用して、認知可能な触覚的差異および／又は認知可能な視覚的差異を作ることができる。
【００３５】
可撓性パッケージ１００の他の特性を消費者に伝えることができる。図２Ａに示されるように、例えば、いくつかの実施形態では、可撓性パッケージ１００（図１Ａおよび１Ｂに示される）は第１の知覚要素２６０を含んでもよい。いくつかの実施形態では、第１の知覚要素２６０はカバー１１２上に設けられてもよい。図２Ｂに示されるように、いくつかの実施形態では、第１の知覚要素２６０は本体１１０上に設けられてもよい。いくつかの実施形態では、第１の知覚要素２６０はカバー１１２の下方に設けることができる。第１の知覚要素２６０は、可撓性パッケージ１００（図１Ａ、１Ｂ、および２Ｂに示される）のカバー１１２および／又は本体１１０のいずれかの好適な場所に設けることができる。第１の知覚要素２６０は、図２Ａおよび２Ｂに示されるように、可撓性パッケージ１００の特性を消費者に伝えることができる。
【００３６】
いくつかの実施形態では、カバー１１２は閉鎖位置（閉鎖状態）にある時、第１の知覚要素２６０を裸眼によって認知できるように、カバー１１２は実質的に透明であることができる。あるいは、カバー１１２は閉鎖位置（閉鎖状態）にある時、第１の知覚要素２６０又はその一部を裸眼によって認知できないように、カバー１１２は実質的に不透明であることができる。
【００３７】
図２Ａおよび２Ｂに示されるように、いくつかの実施形態では、第１の知覚要素２６０は、開放し、それに続いて再閉鎖することができ、それによって、可撓性パッケージ１００は、開放し再閉鎖することができるカバー１１２を備えることを消費者に伝える、二枚貝の画像を含んでもよい。それに加えて、二枚貝の画像は、可撓性パッケージ１００が、可撓性パッケージ１００内の拭き取り用品の水分を保持するか、又は可撓性パッケージ１００内の拭き取り用品の水分の損失を遅らせることができることを消費者に伝えてもよい。
【００３８】
図２Ａおよび２Ｂを参照して上述したように、いくつかの実施形態では、第１の知覚要素２６０は、可撓性パッケージ１００の機能的特徴を消費者に伝えることができる。それに加えて、いくつかの実施形態では、第１の知覚要素２６０は、可撓性パッケージ１００の機能的特徴である第１の特性と、その性能属性である第２の特性とを消費者に伝えることができる。第１の知覚要素２６０は可撓性パッケージ１００の特性を消費者に伝え、その特性が性能属性である実施形態が想起される。更に、第１の知覚要素２６０は１を超える機能的特徴および／又は性能属性を伝える実施形態が想起される。また、第１の知覚要素２６０は、パッケージの特性に加えて、パッケージの内容物、例えばパッケージ内のウェットタオルの性質も伝える実施形態が想起される。
【００３９】
第１の知覚要素２６０は、パッケージの特性を消費者に伝えることができる、当該技術分野において既知のいずれかの好適な物体の画像を含んでもよい。例えば、いくつかの実施形態では、第１の知覚要素２６０は二枚貝の画像を包含してもよく、その好適な例としては、牡蠣、ハマグリなどが挙げられる。それに加えて、第１の知覚要素は上述の図形を含む実施形態が想起される。更に、把持知覚要素１６０（図１Ａに示される）に関して上述したような視覚的および／又は触覚的認知によって、第１の知覚要素２６０が消費者に知らせる実施形態が想起される。
【００４０】
図３に示されるように、いくつかの実施形態では、可撓性パッケージ１００（図１Ａ、１Ｂ、および２Ｂに示される）は、可撓性パッケージ１００（図１Ａ、１Ｂ、および２Ｂに示される）の特性を消費者に伝えるカバー知覚要素３６０を有してもよい。例えば、カバー知覚要素３６０は、可撓性パッケージ１００（図１Ａ、１Ｂ、および２Ｂに示される）が、可撓性パッケージ１００（図１Ａ、１Ｂ、および２Ｂに示される）内に設けられた拭き取り用品の水分を保持するか、又は可撓性パッケージ１００（図１Ａ、１Ｂ、および２Ｂに示される）内の拭き取り用品からの水分の損失を遅らせることができることを消費者に伝えてもよい。このように、カバー知覚要素３６０は性能属性を消費者に伝える実施形態が想起される。それに加えて、カバー知覚要素３６０は、可撓性パッケージ１００（図１Ａ、１Ｂ、および２Ｂに示される）の性能属性に加えて、可撓性パッケージ１００（図１Ａ、１Ｂ、および２Ｂに示される）の機能的特徴を伝える実施形態が想起される。例えば、カバー１１２は、二枚貝又はその一部に類似の形状を含んでもよく、それによって、パッケージ１００は再閉鎖可能なカバー１１２を備えることを消費者に伝えてもよい。更に、カバー知覚要素３６０は、パッケージの１超過の性能属性および／又はパッケージの１超過の機能的特徴を伝える実施形態が想起される。
【００４１】
図示されるように、いくつかの実施形態では、カバー知覚要素３６０は液滴形状のカバー１１２を有してもよい。カバー１１２は、パッケージの特性および／又は性能属性を伝えることができる、当該技術分野において既知のいずれかの好適な形状を含んでもよい。いくつかの実施形態では、カバー１１２および第１の知覚要素２６０（図２Ａおよび２Ｂに示される）は相関してもよい。例えば、いくつかの実施形態では、カバー１１２は二枚貝又は二枚貝の半分の形状を含んでもよく、第１の知覚要素２６０（図２Ａおよび２Ｂに示される）は二枚貝の画像を含んでもよい。更に、カバー知覚要素３６０は、把持知覚要素１６０（図１Ａに示される）に関連して上述したような視覚的および／又は触覚的認知によって消費者に知らせる実施形態が想起される。
【００４２】
それに加えて、いくつかの実施形態では、カバー知覚要素３６０は、可撓性パッケージ１００（図１Ａ、１Ｂ、および２Ｂに示される）の少なくとも１つの特性とともに、拭き取り用品の性質を消費者に伝えてもよい。例えば、いくつかの実施形態では、カバー知覚要素３６０は、可撓性パッケージ１００（図１Ａ、１Ｂ、および２Ｂに示される）内の拭き取り用品は濡れていることを消費者に伝えることができる。
【００４３】
図４に示されるように、いくつかの実施形態では、可撓性パッケージ１００は、可撓性パッケージ１００の特性を消費者に伝える第２の知覚要素４６０を含んでもよい。第２の知覚要素４６０は、上述の第１の知覚要素２６０（図２Ａおよび２Ｂに示される）に類似して構成することができる。
【００４４】
図示されるように、いくつかの実施形態では、第２の知覚要素４６０は、液体の本体の中に落ちる液滴を描写する画像を含んでもよい。第２の知覚要素４６０は、パッケージの特性を消費者に伝えることができるいずれかの好適な画像を含んでもよい。それに加えて、いくつかの実施形態では、第２の知覚要素４６０は、可撓性パッケージ１００の特性に加えて、可撓性パッケージ１００内の内容物の性質を伝えてもよい。
【００４５】
上述したように、本発明によるパッケージは、可撓性パッケージおよび／又はプラスチック容器を含んでもよい。図５に示されるように、いくつかの実施形態では、本発明に従って作成されたプラスチック容器５００は、コンテナ本体１１、閉鎖デバイス１０、固定のハウジング１２、および可動のカバー１３を含んでもよい。いくつかの実施形態では、プラスチック容器５００は、可動のカバー１３を閉鎖位置（閉鎖状態）で保持する係止機構１４、並びに可動のカバー１３は自動的に開くことができるようにするばね要素１５を更に含んでもよい。プラスチック容器５００は、保管中に拭き取り用品は乾燥してしまうことを防いでもよい気密手段１６を更に含んでもよい。
【００４６】
図示されるように、いくつかの実施形態では、コンテナ本体１１は、ほぼ平行六面体の中空の入れ物を規定する、底壁１７、後部１８、前部１９、右側壁２０、および左側壁２１を含んでもよい。図示されるように、コンテナ本体の上面は上部開口部を規定するように大きく開く。フランジは、閉鎖デバイス１０がその上に嵌合する開口部の外周縁部に沿って延びてもよい。
【００４７】
いくつかの実施形態では、前壁１９は、開放式の係止機構１４を形成するように、可動のカバー１３上に設けられた第２の突出部２６と協働してもよい、突出部分２５を含んでもよい。操作の際、変形可能部分２７を押し下げると、ばね要素１５を介して可動の蓋１３が自動的に開き、それによって固定のハウジング１２の上面にある開口部２３を露出させることができる。プラスチック容器５００の操作および構造は、米国特許第６，９０２，０７７号にて考察されている。
【００４８】
本発明のプラスチック容器５００は、上述のような第１の知覚要素を有してもよい。第１の知覚要素と併せて、又は第１の知覚要素とは独立に、プラスチック容器５００は、上述したような、第２の知覚要素、把持知覚要素、および／又はカバー知覚要素を有してもよい。例えば、第１の知覚要素は、プラスチック容器５００はプラスチック容器５００内に設けられた拭き取り用品の水分を保持することができること、又は、プラスチック容器５００はプラスチック容器５００内の拭き取り用品の水分の損失を少なくとも遅らせることを消費者に伝えてもよい。
【００４９】
第１の知覚要素および／又は第２の知覚要素は、プラスチック容器５００のいずれかの好適な表面上に設けられてもよい。例えば、第１の知覚要素および第２の知覚要素はそれぞれ、前壁１９および可動のカバー１３の上に設けられてもよい。プラスチック容器５００の特性を有効に伝えるため、第１の知覚要素および／又は第２の知覚要素は、第１の知覚要素および／又は第２の知覚要素は陳列棚から消費者の目に見えるように、プラスチック容器５００の外面上に設けられるべきである。しかし、プラスチック容器５００は、プラスチック容器５００の更なる特性を消費者に伝えることがある、容器の内部に設けられた知覚要素を有してもよい実施形態が想起される。
【００５０】
図６に示されるように、いくつかの実施形態では、プラスチック容器６００は、コンテナ本体６６２および基部６７８と蝶番式に関連付けられたカバー６７４を有してもよい。コンテナ本体６６２は、一対の側壁（１つのみ、すなわち側壁６３４のみが示される）、前面６３２、および上面６８４を有してもよい。それに加えて、コンテナ本体６６２は、いくつかの実施形態ではコンテナ本体６６２の上面６８４上に設けられる開口部６８０を有してもよい。開口部６８０は、コンテナ本体６６２上のいずれかの好適な場所に設けられてもよい。
【００５１】
コンテナ本体６６２は、コンテナ本体６６２と基部６７８の組み合わせが開口部６８０を有する筐体を形成するようにして、基部６７８と取外し可能に関連付けられてもよい。拭き取り用品は、コンテナ本体６６２を基部６７８から取外し、拭き取り用品を基部６７８上に置くことによって、筐体の中に置かれてもよい。続いて、コンテナ本体６６２は基部６７８に再接合され、それによって拭き取り用品が封入されてもよい。
【００５２】
図示されるように、カバー６７４は開放位置にある。しかし、コンテナ本体６６２に蝶番式に関連付けられているので、カバー６７４は閉じ、それによって、開口部６８０の全てではないとしても少なくとも一部を覆うことができる。カバー６７４は、外れ止め要素６８２によって閉鎖位置（閉鎖状態）で保持することができる。いくつかの実施形態では、外れ止め要素６８２を押し下げることによって、カバー６７４を開放することができ、続いてそれが消費者によって開けられてもよい。カバー６７４を開くことで、開口部６８０の少なくとも一部は露出し、それによって筐体内の拭き取り用品が露出してもよい。
【００５３】
プラスチック容器５００（図５に示される）と同様に、いくつかの実施形態では、プラスチック容器６００は、第１の知覚要素、第２の知覚要素、把持知覚要素、および／又はカバー知覚要素を有してもよい。例えば、第１の知覚要素は、プラスチック容器６００は、プラスチック容器６００内に設けられた拭き取り用品の水分を保持するか、又はプラスチック容器６００内の拭き取り用品からの水分の損失を遅らせることができることを消費者に伝えてもよい。第１の知覚要素、第２の知覚要素、把持知覚要素、および／又はカバー知覚要素は、上述のように構成することができる。それに加えて、第１の知覚要素および第２の知覚要素は、プラスチック容器６００のいずれかの好適な場所に設けられてもよい。それに加えて、プラスチック容器５００（図５に示される）に関連して上述したように、プラスチック容器６００は、プラスチック容器６００の更なる特性を伝える、コンテナ本体６６２内および／又は基部６７８の内側に面した表面に設けられた知覚要素を更に有してもよい。
【００５４】
本発明の別の態様は、製品のラインナップおよび群を目的とする。本発明による製品のラインナップは、２つ以上の上述のパッケージを含んでもよい。例えば、第１のパッケージは第１の知覚要素を有してもよく、第２のパッケージは第２の知覚要素を有してもよい。いくつかの実施形態では、第１の知覚要素は第１のパッケージの機能的特徴を伝えてもよく、第２の知覚要素は第２のパッケージの性能属性を伝える。一例として、機能的特徴とは、パッケージは再閉鎖可能なカバーを備えることであってもよく、性能属性とは、パッケージはパッケージ内の拭き取り用品からの水分の損失を遅らせることであってもよい。
【００５５】
いくつかの実施形態では、第１のパッケージは第１の知覚要素を有してもよく、第２のパッケージは第２の知覚要素を有してもよい。しかし、いくつかの実施形態では、第１の知覚要素および第２の知覚要素は、同じ特性を伝え、互いに認知可能に異なっていてもよい。それに加えて、第１のパッケージは第１の把持知覚要素を更に備え、第２の包装は第２の把持知覚要素を備える実施形態が想起される。いくつかの実施形態では、第１の把持知覚要素および第２の把持知覚要素は互いに認知可能に異なっていてもよい。同様に、第１のパッケージは第１のカバー知覚要素を備え、第２のパッケージは第２のカバー知覚要素を備える実施形態が想起される。いくつかの実施形態では、第１のカバー知覚要素および第２のカバー知覚要素は認知可能に異なることができる。
【００５６】
第１のパッケージおよび／又は第２のパッケージは、第１の知覚要素、第２の知覚要素、把持知覚要素、およびカバー知覚要素の少なくとも１つの組み合わせを備える実施形態が想起される。更に、第１の知覚要素、第２の知覚要素、把持知覚要素、およびカバー知覚要素の少なくとも１つは、第１のパッケージと第２のパッケージとの間で認知可能に異なる実施形態が想起される。これらの実施形態では、異なる知覚要素は、同じ特性および／又は性能属性を伝えてもよく、あるいは、それら個々のパッケージの異なる特性および／又は性能属性を伝えてもよい。
【００５７】
本発明に従って作成されたパッケージの複数の特性は、把持知覚要素、第１の知覚要素、カバー知覚要素、および／又は第２の知覚要素の組み合わせによって伝えられてもよい。例えば、第１の知覚要素２６０（図２Ａおよび２Ｂに示される）はパッケージの第１の特性を伝え、第２の知覚要素４６０（図４に示される）は、第１の特性とは異なるパッケージの第２の特性を伝える実施形態が想起される。例えば、いくつかの実施形態では、第１の知覚要素２６０（図２Ａおよび２Ｂに示される）は機能的特徴を伝えてもよく、第２の知覚要素４６０（図４に示される）はパッケージの性能属性を伝えてもよい。
【００５８】
それに加えて、２つ以上の知覚要素間に相乗効果がある実施形態が想起される。例えば、把持知覚要素１６０（図１Ａに示される）は第１の図形を含んでもよい。同様に、第１の知覚要素２６０（図２Ａおよび２Ｂに示される）は、第１の図形又は第１の図形の一部を含んでもよい。他の相乗的関係が想起される。例えば、いくつかの実施形態では、カバー知覚要素３６０（図３に示される）は二枚貝の形状にほぼ適合する形状を含んでもよく、第１の知覚要素２６０（図２Ａおよび２Ｂに示される）、第２の知覚要素４６０（図４に示される）、および／又は把持知覚要素１６０（図１Ａに示される）は二枚貝の画像を含んでもよい。それに加えて、いくつかの実施形態では、第１の知覚要素および第２の知覚要素は、いくつかの実施形態では、同じ特性を伝え、互いに認知可能に異なっていてもよい。しかし、いくつかの実施形態では、第１の知覚要素および第２の知覚要素は同じ特性を伝えてもよく、互いにかなり異なっていてもよい。
【００５９】
第１の知覚要素、第２の知覚要素、把持知覚要素、および／又はカバー知覚要素は可聴音認知によってパッケージの特性を伝える実施形態が想起される。当該技術分野において既知のいずれかの好適な可聴音デバイスを使用することができる。
【００６０】
本明細書に記載の知覚要素に加えて、本発明に従って作成されたパッケージは、ジョシュア・ジェームズ・ノーマン（Joshua James Norman）の代理として出願した米国特許出願第１１／０６６，０９１号、名称「目的の知覚要素を組み込んだ拭き取り製品のラインナップ（Line Up of Wipes Products Incorporating Targeted Sensory Elements）」に記載されているような、目的の知覚要素、目的の芳香要素、目的の触覚要素、および目的の聴覚要素を有してもよい。
【００６１】
それに加えて、パッケージ又はその一部が性別を特定する色を備える実施形態が想起される。例えば、パッケージはピンク色の色調である色を含んでもよい。別の例として、パッケージは青色の色調である色を含んでもよい。更に別の例では、パッケージは、紫色の色調又は緑色の色調など、性別を特定しない色を含んでもよい。更なる例は、米国特許公開公報第２００５／０１２９７４３Ａ１号、米国特許公開公報第２００５／０１２５９２３Ａ１号、および米国特許公開公報第２００５／０１２５８７７Ａ１号に記載されている。
【００６２】
本発明のパッケージはそれぞれ、ウェットタオル又は複数のウェットタオルを備える。ウェットタオルは少なくとも基材を含んでもよい。そのような基材に対する特定の設計は必須ではなく、当業者であれば、すべての方法およびさまざまな基材が好適であることを容易に理解するであろう。基材としては不織布材は一般的であるが、必ずしも必須ではない。それに加えて、基材は、エアレイイング、カーディング、スパンボンディング、スパンレーシング、ハイドロフォーミングなど、様々な周知のプロセスのいずれかによってシート状の材料に形成されてもよい。
【００６３】
本発明による基材の性質は均質又は非均質であってもよい。例えば、単一の均一なウェブが好適であるが、層状基材であって、様々な層の一部又は全部で繊維組成が異なる基材が望ましいことがある。それに加えて、性質の異なる領域が存在することも可能である。基材は、セルロースベースの繊維（レーヨン、木綿、パルプ、リオセル、およびそれらの変形例など）、若しくはポリエチレン、ポリプロピレン、２成分繊維、又は他の合成繊維など、様々な従来の天然繊維および／又は合成繊維から作られてもよい。
【００６４】
本発明に使用するのに適した拭き取り用品は、多種多様な使い勝手のよい形状およびサイズで提供されてもよいが、必須の特定の形状又はサイズはない。製造や分配が容易なことから、方形シートの拭き取り材料が使用されてもよいが、拭き取り用品は、曲線的形状、円形、又はその他の形状であることもできる。個々のシートは（交互に配置した「ポップアップ」構造などの形で）個別にパッケージすることができ、あるいは、ユーザは後から（例えば、ミシン目などによって）切り離すように、拭き取り用品は連続的なスタック状又はロール状でパッケージすることができる。
【００６５】
拭き取り用品の基材材料には、洗浄性を向上するか、滑らかな感触を提供するか、又は他の何らかの機能を行ってもよい、液状又は半液状の組成物を含浸させてもよい。組成物は、皮膚軟化剤、界面活性剤、乳化剤、鎮静剤、レオロジー変性剤、防腐剤若しくは防腐剤系、水、又は他の成分を包含してもよい。各成分の好適な例、並びにウェットタオルの基材および組成物に関する追加の詳細は、２００４年７月９日出願の米国特許出願第１０／８７８，８７５号、名称「洗浄効果を向上するとともに皮膚に優しいウェットタオル用の組成物（A Composition for Wet Wipes that Enhances the Efficacy of Cleansing While Being Gentle to the Skin）」に記載されている。
【００６６】
本明細書に開示されている寸法および値は、列挙した正確な数値に厳しく制限されるものとして理解されるべきではない。それよりむしろ、特に規定がない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【００６７】
「発明を実施するための最良の形態」で引用したすべての文献は、関連部分において本明細書に参考として組み込まれるが、いずれの文献の引用も、それは本発明に対する先行技術であることを容認するものと解釈されるべきではない。この文書における用語のいずれかの意味又は定義は、参考として組み込まれる文献における用語のいずれかの意味又は定義と対立する範囲については、本文書におけるその用語に与えられた意味又は定義を適用するものとする。
【００６８】
本発明の特定の実施形態を説明し記載してきたが、本発明の趣旨および範囲から逸脱することなく、他の様々な変更および修正を行うことができることが当業者には明白であろう。従って、本発明の範囲内にあるそのようなすべての変更および修正を、添付の特許請求の範囲で扱うものとする。
【図面の簡単な説明】
【００６９】
【図１Ａ】本発明に従って作成された可撓性パッケージを示す等角図。
【図１Ｂ】可撓性パッケージのカバーは開放位置にある、図１Ａの可撓性パッケージを示す等角図。
【図２Ａ】図１Ａの可撓性パッケージのカバーの一実施形態を示す平面図。
【図２Ｂ】図１Ａの可撓性パッケージの別の実施形態を示す立面図。
【図３】図１Ａのカバーを示す平面図。
【図４】図１Ａの可撓性パッケージの別の実施形態を示す平面図。
【図５】本発明に従って作成されたプラスチック容器を示す等角図。
【図６】本発明に従って作成された別のプラスチック容器を示す等角図。
【図１Ａ】
2009537274.tif 000003
【図１Ｂ】
2009537274.tif 000004
【図２Ａ】
2009537274.tif 000005
【図２Ｂ】
2009537274.tif 000006
【図３】
2009537274.tif 000007
【図４】
2009537274.tif 000008
【図５】
2009537274.tif 000009
【図６】
2009537274.tif 000010
【国際調査報告】
2009537274.tif 000011
2009537274.tif 000012
2009537274.tif 000013
2009537274.tif 000014